(57)【要約】【課題】  発電所などの取水路から回収された大量の貝を加熱することなく連続して量産性よく殻と身の小片に分離し、回収する貝処理方法と貝処理装置の提供。【解決手段】  集水路１の水底の貝４と海水３を回収ポンプ１１で第１トロンメル槽２０へと回収し、海水３を水槽４０に送り、貝４を破砕装置３０で殻と身の小片に破砕して水槽４０を流れる海水３に投入させ、破砕貝が水槽４０の水路４１を流れる間に殻ａの小片と身ｂの小片に分離して、それぞれを第２トロンメル槽５０に流入させる。第２トロンメル槽５０の２重式トロンメル５１で最終的に殻ａと身ｂを分離して、殻ａと身ｂの各々を対応する回収容器６１、６２で回収する。回収した身ｂを水産養殖用飼料、餌料に有効利用する。【選択図】図１
2005205292.tif 000002
【特許請求の範囲】
【請求項１】
貝を破砕して殻と身の小片にする破砕工程と、
前記殻と身の小片を水路に投入し、水路に沿って流動させながら水路に配備した分離手段で殻の小片と身の小片に分離する分離工程と、
を含むことを特徴とする貝処理方法。
【請求項２】
前記分離手段が、破砕された貝を前記水路の水中に発生させた気泡で殻の小片と身の小片に分離させるバブリング装置であることを特徴とする請求項１記載の貝処理方法。
【請求項３】
前記バブリング装置で分離された殻の小片と身の小片を比重の違いによる水中沈降距離の違いにより分け、殻と身を２重式トロンメルを用いて別々に回収する回収工程を含むことを特徴とする請求項２記載の貝処理方法。
【請求項４】
貝を破砕して殻と身の小片にする破砕工程と、
前記殻と身の小片をサイクロン装置を使って遠心力で殻の小片と身の小片に分離させる分離工程と、
を含むことを特徴とする貝処理方法。
【請求項５】
取水路から水と共に貝を回収する回収ポンプと、
前記回収ポンプで回収された水と貝を分ける第１トロンメル槽と、
前記第１トロンメル槽で分けられた貝を強圧して殻と身の小片に破砕する破砕装置と、
前記回収ポンプで回収され第１トロンメル槽で分けられた水が略水平方向に流れる水路を有し、この水路の上流側に前記破砕装置で破砕した殻と身の小片を投入して水路を流動させながら殻の小片と身の小片に分離し、この殻と身の小片を比重の違いによる沈降距離の違いにより分ける水槽と、
前記水路の下流側に連接され、水路から流入した身の小片を２重式トロンメルで篩にかける第２トロンメル槽と、
前記第２トロンメル槽で分けた殻の小片と身の小片を別々に回収する回収装置と、
を具備することを特徴とする貝処理装置。
【請求項６】
前記水路に、破砕された貝を水路の水中に発生させた気泡で殻の小片と身の小片に分離させるバブリング装置を配設したことを特徴とする請求項５記載の貝処理装置。
【発明の詳細な説明】
【技術分野】
【０００１】
本発明は、発電所などの取水路に大量に発生した貝を回収して有効利用するための貝処理方法と貝処理装置に関する。
【背景技術】
【０００２】
海水を冷却水として取水する発電所においては、取水路に大量に発生した海生生物を定期的に排除して廃棄処理や有効利用することが行われている。発電所の集水路で発生する海生生物は海綿動物、刺胞動物、扁形動物、紐形動物、環形動物、軟体動物、節足動物、星口動物、棘皮動物、原索動物、脊椎動物など多種多様であり、その大半が埋立てか焼却処理されている。また、近年では海生生物を産業廃棄物として処理することが難しくなってきており、一般廃棄物として扱われるようになってきている。一般廃棄物とした場合、行政が海生生物の一般廃棄物を引き取らないケースが発生しており、各発電所毎に対応が迫られている。
【０００３】
また、発電所の取水路に大量に発生する海生生物の大半は二枚貝や巻貝などの貝であり、この大量の貝を埋立てや焼却処理することが難しいことから、様々な分野で有効利用することが行われている。貝の殻は、石灰成分を多く含むためにコンポスト化や土壌改良材、汚泥などの固化剤原料、埋立材、焼却灰として製品販売され、鶏の餌の添加材として利用されている。貝の身のコンポスト化は塩分除去の問題があって、貝の身は乾燥させて肥料や飼料として有効利用することが試行されている。例えば、水産養殖用飼料、餌料は、単体の原料の魚粉、イカミール、大豆糟、小麦、ビタミン類、ミネラル類などをそれぞれ大量購入し、攪拌した後にペレット化を行っているが、魚粉やイカミールは安定した生産量が望めないことから、貝の身の転用、有効利用が望まれている。
【０００４】
このように貝を有効利用するためには、取水路から大量に回収した貝を殻と身に分離する必要があり、そのための方法と装置の特許申請がなされている（例えば、特許文献１参照）。
【特許文献１】特開平１１−５７６１９号公報
【発明の開示】
【発明が解決しようとする課題】
【０００５】
発電所の取水路から回収された大量の貝を殻と身に分離する方法として、加熱することで殻と身の結合を解くか、結合力を低減させて分離しやすくする方法が公知であるが、大量の貝と海水を適温に加熱するまで時間を要して作業性が悪く、また、加熱する熱源と加熱のための設備が必要であり、設備費が高く付く問題がある。さらに、貝の身は加熱することで変質して、後で有効利用できる肥料や飼料の種類が制限され、特に水産養殖用飼料、餌料の有効利用に問題がある。
【０００６】
本発明は、かかる実情に鑑みてなされたもので、発電所の取水路から回収された大量の貝を加熱することなく、連続して量産性よく殻と身に分離して、殻と身を別々に回収することのできる貝処理方法と貝処理装置を提供することを目的とする。
【課題を解決するための手段】
【０００７】
上記目的を達成するため、本発明方法は、貝を破砕して殻と身の小片にする破砕工程と、殻と身の小片を水路に投入し、水路に沿って流動させながら水路に配備した分離手段で殻の小片と身の小片に分離する分離工程とを含むことを特徴とする。
【０００８】
ここで、貝とは石灰成分の殻を有する海生生物であり、破砕される貝は発電所の取水路から回収ポンプなどで水と共に回収された貝である。この大量の貝をミルなどを使った破砕機で連続して破砕して、殻と身の小片にする。破砕した貝が投入される水路は長大水槽の中の水路が適用でき、水路の一端から他端に向けて取水路などから回収された海水、湖水などの貝処理用水が大量に流され、水路を流れる水中に破砕貝である殻と身の小片が投入され、水路を流動しながら水路に配備した分離手段で殻の小片と身の小片に分離される。
【０００９】
本発明においては、水路の分離手段に、破砕された貝を気泡で殻の小片と身の小片に分離させるバブリング装置が適用できる。このバブリング装置は、水路の上流側の定箇所に設置されて、水路の下流側に分離した殻と身の小片を送り出す。
【００１０】
上記水路を流動する際の貝の殻と身の小片の分離は、殻と身の比重の違いで殻が水中を沈み、身が浮くようにして行われる。この水路にバブリング装置を配設することで、殻と身の分離が助長されて、より短時間で確実に行われ、水路を短くすることができる。バブリング装置は、水路の底の水中で大量の気泡を発生する装置で、破砕された貝が気泡のある水中を流動させると、一方の比重の小さい身が気泡の影響を殻より強く受けて浮きやすく沈みにくくなり、沈もうとする殻から分離する。
【００１１】
また、本発明方法においては、分離工程で分離された殻の小片と身の小片を比重の違いによる沈降距離の違いにより分け、殻と身を２重式トロンメルを用いて別々に回収する回収工程を設けるとができる。
【００１２】
この場合、水路の下流に２重式トロンメルを設置して、上流から流れてくる身の小片を篩にかけて身に付着する細かい殻を沈降させて、最終的に殻と身を分け、分けた殻と身を別々に回収手段に回収する。別々に回収した殻と身は熱処理されていないので、殻の小片は土壌改良剤などに有効利用でき、身の小片は水産養殖用飼料、餌料などに問題なく有効利用できる。このように回収貝の全てを有効利用することで、廃棄物の処理費の削減や、二酸化炭素発生の抑制による地球環境保全が可能となる。
【００１３】
また、本発明においては、貝を破砕して殻と身の小片にする破砕工程の後に、破砕された殻と身の小片をサイクロン装置を使って遠心力で殻の小片と身の小片に分離させる分離工程を設けることができる。ここでのサイクロン装置は、空気の渦流の中に破砕貝を投入して遠心力で破砕貝を殻と身に積極的に分離するもので、水路を使用することなく殻と身の分離を行う。
【００１４】
また、上記目的を達成する本発明装置は、取水路から水と共に貝を回収する回収ポンプと、回収ポンプで回収された水と貝を分ける第１トロンメル槽と、第１トロンメル槽で分けられた貝を強圧して殻と身の小片に破砕する破砕装置と、回収ポンプで回収され第１トロンメル槽で分けられた水が略水平方向に流れる水路を有し、この水路の上流側に破砕装置で破砕した殻と身の小片を投入して水路を流動させながら殻の小片と身の小片に分離し、この殻と身の小片を比重の違いによる沈降距離の違いにより分ける水槽と、水路の下流側に連接され、水路から流入した身の小片を２重式トロンメルで篩にかける第２トロンメル槽と、第２トロンメル槽で分けた殻の小片と身の小片を別々に回収する回収装置とを具備することを特徴とする。この貝処理装置においては、水槽の水路に、破砕貝を気泡で積極的に殻と身の小片に分離させるバブリング装置を配設することができる。
【００１５】
ここで、回収ポンプは、発電所の取水路に堆積した貝と取水路の水、例えば海水を吸引して陸上まで揚水する。回収ポンプが回収する貝は、取水路の壁面に付着した貝を集水路の底まで掻き落とした貝が大半を占める。このような回収ポンプは、陸上から遠隔操作されて海底を自走する清掃ロボットポンプや、陸上から手動操作できる水中ポンプが適用できる。回収ポンプで回収された海水と貝が陸上の第１トロンメル槽に連続して供給されて、水平な１重式トロンメル上を通過する間に海水と貝が分けられ、海水が水槽の上流側に連続して流入され、貝が破砕装置に連続して供給される。破砕装置は、例えばミルを使った破砕機で、大量の貝の殻を連続して破砕して、殻と身の小片を水槽内に放出する。水槽は水平方向に長大で、内部に第１トロンメル槽からの海水を定方向に流す水路を有する。この水路の上流側に破砕装置で破砕された殻と身の小片を投入して水路の水中を流動させ、流動させながら殻の小片と身の小片に分離する。水槽の水路の下流側に連接された第２トロンメル槽は２重式トロンメルを有し、この２重式トロンメルで身の小片を篩いにかける。身の小片に付いた細かい殻がトロンメルの目を通過して自重で沈降し、水路からの殻の小片と合流する。回収装置は、第２トロンメル槽の２重式トロンメルで篩をかけられて残留した身の小片を外部の回収手段に供出し、第２トロンメル槽の２重式トロンメルを通過沈降して第２トロンメル槽の底部を下流へと流動する殻の小片を外部の回収手段に供出する。殻と身の小片のそれぞれの回収手段は、専用の回収容器や回収シュート、ベルトコンベアの適用が可能である。
【発明の効果】
【００１６】
本発明によれば、発電所の取水路から回収された大量の貝を連続して破砕し、連続して殻と身の小片に分離して別々に回収することができるので、大量の貝を短期に処理できて、貝の殻と身を別々に広範囲の分野で有効利用することができるようになる。また、貝の殻と身を熱処理することなく分離して別々に回収するため、特に貝の身が変質せず自然状態が保持されて、水産養殖用飼料、餌料への有効利用が容易となり、水産養殖用飼料、餌料の生産量安定化、価格の低減化を容易にする優れた効果を奏し得る。
【発明を実施するための最良の形態】
【００１７】
以下、本発明の実施の形態を添付図面を参照して説明する。
【００１８】
図１に示す貝処理装置１０は、発電所の取水路１の岸壁２上に設置される。取水路１の海水３の底に貝４が他の海生生物と共に堆積する。貝４は岸壁２などから掻き落とされた二枚貝、巻貝などである。貝処理装置１０は、海底に投入された回収ポンプ１１で海水３と共に岸壁上へと回収された貝４を連続して殻と身の小片に破砕する破砕工程と、破砕された殻と身の小片を離隔分離する分離工程と、分離された殻と身の小片を別々に回収する回収工程を基本とする設備で、回収ポンプ１１に連接された第１トロンメル槽２０と、破砕工程を担う破砕装置３０と、分離工程と回収工程を担う水槽４０、第２トロンメル槽５０、回収装置６０を一連に有する。
【００１９】
第１トロンメル槽２０は、岸壁２上に支柱２４で水平に設置され、海底の回収ポンプ１１と回収ホース１２で連接される。第１トロンメル槽２０は１重式トロンメル２１を内部に有する筐体で、底部に水放出部２２を有する。回収ポンプ１１を作動させると、海底の貝４と共に海水３を吸引して第１トロンメル槽２０に揚水する。第１トロンメル槽２０に流入した海水３と貝４はトロンメル２１で貝４が篩にかけられ、海水３が水放出部２２を流下して下方に設置された水槽４０の水路４１上流側に流下し、貝４がシュート２３から破砕装置３０へと供出される。
【００２０】
水槽４０は岸壁２上に支持枠４４で水平に支持された幅狭横長の長大水槽で、内部に略水平な水路４１を有する。水路４１の上流側に第１トロンメル槽２０から海水３が流入し、水路４１を満杯状態にして下流側へと流れる。水路４１の上流側に破砕装置３０が支持枠３４で支持され、この破砕装置３０で破砕された貝の殻と身の小片が水路４１に落下して、海水３と共に下流へと流動する。破砕装置３０は、第１トロンメル槽２０から送り出された貝４を連続して加圧して主として殻を破砕する。貝４と破砕した殻と身の小片の模式図を図２に示すと、白抜き印が破砕された小片の殻ａであり、黒塗り印が貝の小片の身ｂを示す。破砕装置３０で破砕された貝４の殻ａは、身ｂから離脱した殻と、身ｂに付いたままの殻と様々で、身ｂと共に水槽４０の水路４１の上流側を流れる海水に落下し、海水と共に流下する。破砕された貝が水路４１を海水と共に流れる間に、殻ａと身ｂに分離される。分離した殻ａと身ｂは比重の違いによる沈降距離の違いによって殻ａと身ｂが分けられ、水路上層部に身ｂが流れ、水路下層部に殻ａが流れる。また、水路４１の下流側に水平な仕切板４２が設置され、仕切板４２の上方を身ｂが流れ、下方を殻ａが流れることで、小片の殻ａと身ｂの分離が明確になり、分離された小片の殻ａと身ｂの混流が回避される。
【００２１】
図１と図２は、水路４１の一部に小片の殻ａと身ｂの分離を助長する分離手段のバブリング装置４３を設置している。バグリング装置４３は、水路４１を流れる破砕貝に大量の気泡を作用させて、殻ａと身ｂの分離を強制する。つまり、破砕貝の身ｂを気泡で殻ａよりも沈降しにくいようにし、身ｂが沈降しないうちに下流の仕切板４２の上方へと流下させ、身ｂよりも早く沈降した殻ａを仕切板４２の下方へと流動させる。このようにバブリング装置４３で破砕貝の殻と身の分離を助長させることで、水路４１と水槽４０の全長を短くすることができる。
【００２２】
水槽４０の下流側に第２トロンメル槽５０と回収装置６０が一連に連接される。第２トロンメル槽５０は、内部に２重式トロンメル５１を設置した筐体で、底部に水放出部５３を有し、水放出部５３から貝処理済みの海水３が循環ホース５４を通って取水路１の海水中に戻される。第２トロンメル槽５０の上部に水槽４０の仕切板４２の上方を流れる海水と身ｂが流入し、第２トロンメル槽５０の下部に仕切板４２の下方を流れる海水と殻ａが流入する。第２トロンメル槽５０の上部に流入した海水と小片の身ｂは、２重式トロンメル５１で篩にかけられ、海水は水放出部５３へと流下し、身ｂだけが第２トロンメル槽５０の中間部に設けたシュート５５から回収装置６０の例えば回収容器６１に投入される。第２トロンメル槽５０の下部に流入した殻ａと海水３の内、海水３は水放出部５３に流下し、殻ａはトロンメル５２で篩にかけられて第２トロンメル槽５０の下部に設けたシュート５６から回収容器６２に投入される。
【００２３】
図３は、破砕装置３０にサイクロン装置４５を連接した貝処理装置１０を模式的に示している。サイクロン装置４５は、縦長円筒の内部空間に下方に向かう渦流を作り、この渦流に破砕装置３０から破砕貝が投入されると遠心力を作用させて、小片の殻ａを下部に身ｂを上部にと積極的に分離する。サイクロン装置４５で分離された殻ａはサイクロン下部へと流動し、身ｂはサイクロン上部へと流動して、最終的に殻ａが回収容器６２に回収され、身ｂが別の回収容器６１に回収される。
【００２４】
尚、本発明の貝処理装置は、上記した実施の形態に限定されるものではなく、本発明の要旨を逸脱しない範囲内において種々変更を加え得ることは勿論である。
【図面の簡単な説明】
【００２５】
【図１】本発明の貝処理装置の実施の形態を示す側面図である。
【図２】図１の貝処理装置の貝処理過程を模式的に示す側面図である。
【図３】図１の貝処理装置の他の貝処理過程を模式的に示す側面図である。
【符号の説明】
【００２６】
１    取水路
３    海水
４    貝
ａ    小片の殻
ｂ    小片の身
１０    貝処理装置
１１    回収ポンプ
２０    第１トロンメル槽
２１    トロンメル
３０    破砕装置
４０    水槽
４１    水路
４２    仕切板
４３    分離手段、バブリング装置
４５    サイクロン装置
５０    第２トロンメル槽
５１    トロンメル（身ｂの篩）
５２    トロンメル（殻ａの篩）
６０    回収装置
６１、６２    回収容器
【図１】
2005205292.tif 000003
【図２】
2005205292.tif 000004
【図３】
2005205292.tif 000005